(57)【要約】【課題】オペレータの経験の差によらず異常部位を特定することができる解析装置を提供する。【解決手段】解析装置６０は、紡績ユニット２において処理される糸Ｙの糸太さ情報に基づいて糸の解析を行う解析装置であって、糸太さ情報を取得する取得部６０Ａと、取得部が取得した糸太さ情報に基づいて糸太さの時間変化を解析する解析部６０Ｂと、周期を示すための横軸ＡＸ及び縦軸ＡＹの一方と、周期に対する分布量を示すための横軸及び縦軸の他方と、特定の範囲の周期に対応する領域が視覚的に識別可能に表示された特定領域Ｂａ，Ｂｂ，Ｂｃ，Ｂｄ，Ｂｅと、を有する結果表示領域Ｒ１に、解析部６０Ｂによる解析結果であって、周期と分布量との関係を棒Ｂで示す第一棒グラフＢＧ１を重ねて表示するように表示装置５２を制御する表示制御部６０Ｃと、を備える。【選択図】図３
2018016911.tif 000002
【特許請求の範囲】
【請求項１】
繊維処理ユニットにおいて処理される糸の糸太さ情報に基づいて前記糸の解析を行う解析装置であって、
前記糸太さ情報を取得する取得部と、
前記取得部が取得した前記糸太さ情報に基づいて前記糸太さの時間変化を解析する解析部と、
周波数又は周期を示すための横軸及び縦軸の一方と、前記周波数又は前記周期に対する分布量を示すための前記横軸及び前記縦軸の他方と、特定の範囲の前記周波数又は前記周期に対応する領域が視覚的に識別可能に表示された特定領域と、を有する結果表示領域に、前記解析部による解析結果であって、前記周波数又は前記周期と前記分布量との関係を棒で示す棒グラフを重ねて表示するように表示部を制御する表示制御部と、
を備える、解析装置。
【請求項２】
前記表示制御部は、特定領域を他の領域とは異なる色で表示させる、請求項１記載の解析装置。
【請求項３】
前記表示制御部は、前記特定領域が選択されると、前記特定領域に対応する特定の範囲の前記周波数又は前記周期で発生する異常の要因となる部位に関する情報を視認可能に表示させる、請求項１記載の解析装置。
【請求項４】
前記表示制御部は、周波数ごと又は周期ごとに前記分布量を示す前記棒を表示させる、請求項１〜３の何れか一項記載の解析装置。
【請求項５】
前記表示制御部は、前記分布量が所定閾値を超える前記棒を、前記所定閾値以下の前記棒と視覚的に識別可能に表示させる、請求項４記載の解析装置。
【請求項６】
前記表示制御部は、周波数帯ごと又は周期帯ごとに前記分布量を示す前記棒を表示させる、請求項１〜３の何れか一項記載の解析装置。
【請求項７】
前記表示制御部は、隣接する前記周波数帯又は前記周期帯における前記分布量に対する相対的な突出量が所定閾値を超える前記棒を、当該所定閾値以下の前記棒と視覚的に識別可能に表示させる、請求項６記載の解析装置。
【請求項８】
前記表示制御部は、前記周波数ごと又は前記周期ごとに前記分布量を示す第一棒グラフと、周波数帯ごと又は周期帯ごとに前記分布量を示す第二棒グラフとを一画面上に表示するように制御し、
前記第一棒グラフ及び前記第二棒グラフの一方を前記結果表示領域に重ねて表示し、
前記第一棒グラフ及び前記第二棒グラフの他方は、前記第一棒グラフ及び前記第二棒グラフの一方における前記特定領域が選択されると、当該特定領域に関連づけられた前記第一棒グラフ及び前記第二棒グラフの他方における特定の範囲の前記周波数又は前記周期に対応する対応領域を視覚的に識別可能に表示する、請求項１記載の解析装置。
【発明の詳細な説明】
【技術分野】
【０００１】
本発明は、繊維機械で処理される糸の解析装置に関する。
【背景技術】
【０００２】
糸の太さを計測することにより糸の欠陥を検出する糸欠陥検出装置を備え、当該糸欠陥検出装置が検出する糸の太さの情報に基づいて糸の切断が実行される紡績装置が知られている。ここでいう糸の欠陥とは、例えば、スラブ等の糸欠陥であり、異常な糸太さの変動部位を指している。また、このような糸の太さの情報を蓄積し、当該情報を周波数解析することにより、糸欠陥が発生している周期（以下、「糸欠陥の周期又は周波数」という。）を特定することにより、異常部位を特定することができる解析装置（異常錘特定装置）が開示されている（例えば、特許文献１参照）。
【先行技術文献】
【特許文献】
【０００３】
【特許文献１】特開２００７−２２４４５２号公報
【発明の概要】
【発明が解決しようとする課題】
【０００４】
上記従来の解析装置においては、糸の太さ情報を周波数解析した結果を画面に表示する。しかしながら、当該結果は、欠陥の周波数（周期）を示しただけの情報であり、一見しただけではどの部位に異常等があることは判断できない。そこで、画面を見たオペレータが経験に基づいて評価を行う必要がある。このため、オペレータの経験の差によって評価結果がばらつき、場合によっては異常部位の特定に至らず、当該異常部位が放置されるおそれがある。なお、ここでいうオペレータには、繊維機械に対して所定の作業や操作のみを行うことが許された作業員だけではなく、繊維機械の運転・保全に関する一般的な設定変更を行う権限を所有する作業員（メンテナンシー）も含む。
【０００５】
そこで、本発明は、オペレータの経験の差によらず異常部位を特定することができる解析装置を提供することを目的とする。
【課題を解決するための手段】
【０００６】
本発明の解析装置は、繊維処理ユニットにおいて処理される糸の糸太さ情報に基づいて糸の解析を行う解析装置であって、糸太さ情報を取得する取得部と、糸太さ情報から得られる糸太さの時間変化を解析する解析部と、周波数又は周期を示すための横軸及び縦軸の一方と、周波数又は周期に対する分布量を示すための横軸及び縦軸の他方と、特定の範囲の周波数又は周期に対応する領域が視覚的に識別可能に表示された特定領域と、を有する結果表示領域に、解析部による解析結果であって、周波数又は周期と分布量との関係を棒で示す棒グラフを重ねて表示するように表示部を制御する表示制御部と、を備える。
【０００７】
上記構成の解析装置では、解析部によって解析された、周波数又は周期と分布量との関係を棒で示した棒グラフが、特定の範囲の周波数又は周期に対応する領域が視覚的に識別可能に表示された特定領域を有する結果表示領域に表示される。これにより、オペレータは、分布量が突出した周波数（周期）が、どの周波数領域（周期領域）であるか、一見で判断できるようになる。例えば、経験則及び理論値等から周波数領域（周期領域）と異常部位（例えば、ドラフトローラ）との関係が導き出される場合、当該周波数領域（周期領域）を、上記視覚的に識別可能に表示される特定領域とすれば、オペレータは、分布量が突出している領域がどの特定領域に属しているかを確認するだけで、異常部位を特定することができる。この結果、オペレータの経験の差によらず異常部位を特定することができる。
【０００８】
表示制御部は、特定領域を他の領域とは異なる色で表示させてもよい。上記構成の解析装置では、オペレータは、特定の範囲の周波数又は周期に対応する領域を、容易に識別することが可能になる。すなわち、異常がある場合であっても、異常がない場合であっても、特定領域が把握しやすい。
【０００９】
表示制御部は、特定領域が選択されると、特定領域に対応する特定の範囲の周波数又は周期で発生する異常の要因となる部位に関する情報を視認可能に表示させてもよい。上記構成の解析装置では、オペレータは、例えば、特定領域と異常部位との関係が示された一覧表等を参照することなく、異常部位を知ることができる。
【００１０】
表示制御部は、周波数ごと又は周期ごとに分布量を示す棒を表示させてもよい。上記構成の解析装置では、機械的な要因を特定するためのデータを提供することができる。
【００１１】
表示制御部は、分布量が所定閾値を超える棒を、所定閾値以下の棒と視覚的に識別可能に表示させてもよい。上記構成の解析装置では、オペレータに対し、問題がある可能性のある箇所を効果的に報知することができる。
【００１２】
表示制御部は、周波数帯ごと又は周期帯ごとに分布量を示す棒を表示させてもよい。上記構成の解析装置では、糸物性に起因する要因を特定するためのデータを提供することができる。
【００１３】
表示制御部は、隣接する周波数帯又は周期帯における分布量に対する相対的な突出量が所定閾値を超える棒を、当該所定閾値以下の棒と視覚的に識別可能に表示させてもよい。上記構成の解析装置では、オペレータに対し、問題がある可能性のある箇所を効果的に報知することができる。
【００１４】
表示制御部は、周波数ごと又は周期ごとに分布量を示す第一棒グラフと、周波数帯ごと又は周期帯ごとに分布量を示す第二棒グラフとを一画面上に表示するように制御し、第一棒グラフ及び第二棒グラフの一方を結果表示領域に重ねて表示し、第一棒グラフ及び第二棒グラフの他方は、第一棒グラフ及び第二棒グラフの一方における特定領域が選択されると、当該特定領域に関連づけられた第一棒グラフ及び第二棒グラフの他方における特定の範囲の周波数又は周期に対応する対応領域を視覚的に識別可能に表示してもよい。上記構成の解析装置では、機械的な要因と、糸物性に起因する要因との二つの要因を勘案した総合的な見地で異常部位を判定することが可能になる。
【発明の効果】
【００１５】
本発明によれば、オペレータの経験の差によらず異常部位を特定することができる。
【図面の簡単な説明】
【００１６】
【図１】一実施形態の紡績機の正面図である。
【図２】図１の紡績機の機能構成を示す機能ブロック図である。
【図３】第一棒グラフの表示の一例である。
【図４】第二棒グラフの表示の一例である。
【図５】図３の第一棒グラフの一部を拡大して示した図である。
【図６】ポップアップ表示の一例である。
【図７】図４の第二棒グラフの一部を拡大して示した図である。
【図８】ポップアップ表示の一例である。
【図９】変形例１に係る第一棒グラフ及び第二棒グラフの表示の例である。
【図１０】（ａ）は、横軸における周波数の範囲が０Ｈｚ〜２００Ｈｚである第一棒グラフの一例であり、（ｂ）は、横軸における周波数の範囲が０Ｈｚ〜１０Ｈｚである第一棒グラフの一例である。
【発明を実施するための形態】
【００１７】
以下、図面を参照して一実施形態について説明する。図面の説明において、同一要素には同一符号を付し、重複する説明を省略する。
【００１８】
まず、一実施形態に係る解析装置６０が搭載された紡績機１について説明する。図１に示されるように、紡績機１は、複数の紡績ユニット２と、糸継台車３と、玉揚台車（図示省略）と、第１エンドフレーム４と、第２エンドフレーム５と、を備えている。複数の紡績ユニット２は、一列に配列されている。各紡績ユニット２は、糸Ｙを生成してパッケージＰに巻き取る。糸継台車３は、ある紡績ユニット２で糸Ｙが切断されたり、何らかの理由で糸Ｙが切れたりした場合、当該紡績ユニット２で糸継動作を行う。玉揚台車は、ある紡績ユニット２でパッケージＰが満巻になった場合、パッケージＰを玉揚げし、新しいボビン１４を当該紡績ユニット２に供給する。
【００１９】
各紡績ユニット２は、糸Ｙの走行方向において上流側から順に、ドラフト装置６と、空気紡績装置７と、糸監視装置８と、テンションセンサ９と、糸貯留装置１１と、ワキシング装置１２と、巻取装置１３と、ユニットコントローラ１０と、を備えている。
【００２０】
ドラフト装置６は、スライバ（繊維束）Ｓをドラフトする。空気紡績装置７は、ドラフト装置６でドラフトされた繊維束Ｆに旋回空気流によって撚りを与えて糸Ｙを生成する。ドラフト装置６は、スライバＳの送り方向（搬送方向）に沿って配置された複数対のドラフトローラ１６，１７，１９，２０を有し、これらのドラフトローラ１６，１７，１９，２０を用いて繊維束Ｆをドラフトする。ドラフト装置６は、複数のドラフトローラ１６，１７，１９，２０として、バックローラ１６、サードローラ１７、エプロンベルト１８が巻回されたミドルローラ１９、及びフロントローラ２０を備えている。ドラフトローラ１６，１７，１９，２０は、それぞれ一対のトップローラ１６ａ，１７ａ，１９ａ，２０ａ及びボトムローラ１６ｂ，１７ｂ，１９ｂ，２０ｂを有し、トップローラ１６ａ，１７ａ，１９ａ，２０ａ及びボトムローラ１６ｂ，１７ｂ，１９ｂ，２０ｂはスライバＳを挟むように配置されている。エプロンベルト１８は、トップエプロンベルト１８ａとボトムエプロンベルト１８ｂとを有している。
【００２１】
ドラフト装置６は、複数のドラフトローラ１６，１７，１９，２０のボトムローラをそれぞれ駆動するためのモータを備えている。なお、本実施形態では、一つのモータで一つのドラフトローラを回転駆動しているが、一つのモータで複数のドラフトローラを回転駆動させてもよい。例えば、低速側のドラフトローラであるバックローラ１６とサードローラ１７との両方を、一つのモータで回転駆動させてもよい。また、一つ又は隣接する二つのバックボトムローラ１６ｂを一つのモータで駆動し、一つ又は隣接する二つのサードボトムローラ１７ｂを一つのモータで駆動し、全紡績ユニット２又は所定数の紡績ユニット２のミドルボトムローラ１９ｂを一つのモータで一斉に回転駆動し、全紡績ユニット２又は所定数の紡績ユニット２のフロントボトムローラ２０ｂを一つのモータで一斉に回転駆動してもよい。
【００２２】
糸貯留装置１１は、空気紡績装置７と巻取装置１３との間において、糸Ｙの弛みを取る。ワキシング装置１２は、糸貯留装置１１と巻取装置１３との間において、糸Ｙにワックスを付与する。巻取装置１３は、糸Ｙをボビン１４に巻き取ってパッケージＰを形成する。
【００２３】
糸監視装置８は、空気紡績装置７と糸貯留装置１１との間において、走行する糸Ｙの情報を監視して、監視した情報に基づいて糸欠陥の有無を検出する。糸監視装置８は、糸欠陥を検出した場合、糸欠陥検出信号をユニットコントローラ１０に送信する。テンションセンサ９は、空気紡績装置７と糸貯留装置１１との間において、走行する糸Ｙのテンションを測定し、テンション測定信号をユニットコントローラ１０に送信する。糸監視装置８及び／又はテンションセンサ９の検出結果に基づきユニットコントローラ１０が異常有りと判断した場合、紡績ユニット２において、糸Ｙが切断される。
【００２４】
ユニットコントローラ１０は、所定数の紡績ユニット２ごとに設けられており、紡績ユニット２の動作を制御する。ユニットコントローラ１０は、図略のＣＰＵ（Central  Processing  Unit）と、ＲＯＭ（Read  Only  Memory）と、ＲＡＭ（Random  Access  Memory）と、入出力ポートと、を有している。ＲＯＭには、紡績ユニット２の各構成を制御するためのプログラムが記憶されている。ＣＰＵは、ＲＯＭに記憶された巻取プログラムをＲＡＭに読み出して実行することにより、紡績ユニット２の各部を制御する処理が可能となっている。各ユニットコントローラ１０が備える入出力ポートは、機台制御装置５１に接続され、情報の送受信が可能に構成されている。
【００２５】
本実施形態のユニットコントローラ１０は、糸監視装置８と電気的に接続され、糸監視装置８から出力された糸太さに関する情報を取得し、糸Ｙに周期的な糸斑（周期斑）が形成されているか否かを判定する。紡績ユニット２では、周期斑の有無によって糸Ｙの切断が制御される。また、ユニットコントローラ１０は、糸太さに関する情報を、後段にて詳述する機台制御装置５１へ出力する。
【００２６】
第１エンドフレーム４には、紡績ユニット２で発生した繊維屑及び糸屑等を回収する回収装置等が収容されている。第２エンドフレーム５には、紡績機１に供給される圧縮空気（空気）の空気圧を調整して紡績機１の各部に空気を供給する空気供給部、及び紡績ユニット２の各部に動力を供給するための駆動モータ等が収容されている。
【００２７】
第２エンドフレーム５には、機台制御装置５１と、表示装置（表示部）５２と、入力キー５３と、が設けられている。機台制御装置５１は、紡績機１の各部を集中的に管理及び制御する。表示装置５２は、紡績ユニット２の設定内容及び／又は状態に関する情報等を表示することができる。オペレータが入力キー５３を用いて適宜の操作を行うことにより、紡績ユニット２の設定作業を行うことができる。
【００２８】
機台制御装置５１は、ＣＰＵと、ＲＡＭと、ＲＯＭと、入出力ポートと、を有している。ＲＯＭには、紡績ユニット２を制御するための制御プログラムが記憶されている。ＣＰＵは、ＲＯＭに記憶された制御プログラムをＲＡＭに読み出して実行することにより、紡績ユニット２の各構成及び／又は共通装置を制御することができる。
【００２９】
解析装置６０は、紡績ユニット２において処理される糸Ｙの糸太さ情報に基づいて糸Ｙの解析を行う。本実施形態の解析装置６０は、機台制御装置５１として構築されている。すなわち、解析装置６０としての機台制御装置５１（以後、「解析装置６０」と示す。）は、上記のハードウェアとソフトウェアとが協働することにより、図２に示されるように、取得部６０Ａと、解析部６０Ｂと、表示制御部６０Ｃと、を機能させることができる。
【００３０】
取得部６０Ａは、糸太さ情報を取得する。具体的には、ユニットコントローラ１０から出力される糸太さに関する情報を取得し、蓄積する。
【００３１】
解析部６０Ｂは、糸太さ情報から得られる糸太さの時間変化を解析する。具体的には、ユニットコントローラ１０から出力される糸太さに関する情報を周波数分析する。解析部６０Ｂは、周波数分析として、例えば高速フーリエ変換（ＦＦＴ）演算を行い、時間軸を周期に変換し、図３に示されるような第一棒グラフＢＧ１を表示するデータを生成する。言い換えれば、解析部６０Ｂは、ユニットコントローラ１０から出力される糸太さに関する情報に基づいてスペクトログラムとして出力するためのデータを生成する。解析部６０Ｂは、上記周波数分析として、例えば高速フーリエ変換（ＦＦＴ）演算とバンドパスフィルタ処理とを行い、図４に示されるような第二棒グラフＢＧ２を表示することができるデータを生成する。
【００３２】
また、図３に示されるように、表示制御部６０Ｃは、周期を示すための横軸ＡＸと、周期に対するピーク強度（ＣＶ％）（分布量）を示すための縦軸ＡＹと、特定の範囲の周期に対応する領域が視覚的に識別可能に表示された特定領域Ｂａ，Ｂｂ，Ｂｃ，Ｂｄと、を有する結果表示領域Ｒ１に、解析部６０Ｂによる解析結果であって、周期とピーク強度との関係を棒Ｂで示す第一棒グラフＢＧ１を重ねて表示するように、表示装置５２を制御する。
【００３３】
ここで、例えば、以下の事項が経験則及び理論値等から分かっているとする。
・周期範囲Ｒａに所定閾値以上の値が出現するとフロントローラ２０に異常の可能性があること。
・周期範囲Ｒｂに属する周期に所定閾値以上の値が出現するとミドルローラ１９に異常の可能性があること。
・周期範囲Ｒｃに属する周期に所定閾値以上の値が出現するとサードローラ１７に異常の可能性があること。
・周期範囲Ｒｄに属する周期に所定閾値以上の値が出現するとバックローラ１６に異常の可能性があること。
なお、ここでの閾値は、周期ごとに予め定められた値である。
【００３４】
表示制御部６０Ｃは、特定領域Ｂａ，Ｂｂ，Ｂｃ，Ｂｄを、特定領域Ｂａ，Ｂｂ，Ｂｃ，Ｂｄ以外の他の領域（背景）Ｂ０とは異なる色で表示させる。なお、特定領域Ｂａ，Ｂｂ，Ｂｃ，Ｂｄは、それぞれ互いに異なる色であることが好ましいが、同じ色であってもよい。
【００３５】
表示制御部６０Ｃにおけるこのような着色により、オペレータは、例えば、周期範囲Ｒａを含む特定領域Ｂａと、所定の閾値を超えるピーク強度を示す棒Ｂとが重なったとき、フロントローラ２０に異常の可能性があることを客観的に把握することができる。同様に、オペレータは、例えば、周期範囲Ｒｂを含む特定領域Ｂｂと、所定の閾値を超えるピーク強度を示す棒Ｂとが重なったときミドルローラ１９に異常の可能性があること、周期範囲Ｒｃを含む特定領域Ｂｃと、所定の閾値を超えるピーク強度を示す棒Ｂとが重なったときサードローラ１７に異常の可能性があること、周期範囲Ｒｄを含む特定領域Ｂｄと、所定の閾値を超えるピーク強度を示す棒Ｂとが重なったときバックローラ１６に異常の可能性があること、を客観的に把握することができる。
【００３６】
更に、表示制御部６０Ｃは、ピーク強度が所定閾値を超える棒Ｂを、所定閾値以下の棒Ｂと視覚的に識別可能に表示させる。例えば、図５に示されるように、表示制御部６０Ｃは、ピーク強度が所定閾値を超える棒Ｂを、所定閾値以下の棒Ｂと異なる色（図５では、ハッチングとして表示）で表示させる。
【００３７】
更に、表示制御部６０Ｃは、特定領域Ｂａ，Ｂｂ，Ｂｃ，Ｂｄが選択（例えば、図６に示されるように、ポインタＡ１を重ねる等の操作）されると、特定領域Ｂａ，Ｂｂ，Ｂｃ，Ｂｄのそれぞれに対応する特定の範囲の周期に関連が高い不良要因を視認可能に表示させる。例えば、図６に示されるように、ユーザによって特定領域Ｂｇが選択されると、「ミドルローラに異常の可能性があります。」とのメッセージＭ１がポップアップ表示される。
【００３８】
図４に示されるように、表示制御部６０Ｃは、周期帯を示すための横軸ＡＸと、周期帯に対するピーク強度（ＣＶ％）（分布量）を示すための縦軸ＡＹと、特定の範囲の周期帯に対応する領域が視覚的に識別可能に表示された特定領域Ｂｅ，Ｂｆ，Ｂｇ，Ｂｈ，Ｂｉと、を有する結果表示領域Ｒ２に、第二棒グラフＢＧ２を重ねて表示するように、表示装置５２を制御する。
【００３９】
ここで、例えば、以下の事項が経験則及び理論値等から分かっているとする。
・周期帯範囲Ｒｅに所定閾値以上の値が出現するとフロントボトムローラ２０ｂに異常の可能性があること。
・周期帯範囲Ｒｆに属する周期帯に所定閾値以上の値が出現するとフロントトップローラ２０ａに異常の可能性があること。
・周期帯範囲Ｒｇに属する周期帯に所定閾値以上の値が出現するとミドルトップローラ１９ａに異常の可能性があること。
・周期帯範囲Ｒｈに属する周期帯に所定閾値以上の値が出現するとボトムエプロンベルト１８ｂに異常の可能性があること。
・周期帯範囲Ｒｉに属する周期帯に所定閾値以上の値が出現するとサードボトムローラ１７ｂ駆動用モータ（図示せず）に異常の可能性があること。
なお、ここでの閾値は、隣接する周期帯におけるピーク強度に対する相対的な突出量である。したがって、同じ値であっても、隣接周期帯におけるピーク強度によって、閾値を超えないと判定されることもあり得る。
【００４０】
表示制御部６０Ｃは、特定領域Ｂｅ，Ｂｆ，Ｂｇ，Ｂｈ，Ｂｉを、特定領域Ｂｅ，Ｂｆ，Ｂｇ，Ｂｈ，Ｂｉ以外の他の領域（背景）Ｂ０とは異なる色で表示させる。なお、特定領域Ｂｅ，Ｂｆ，Ｂｇ，Ｂｈ，Ｂｉは、それぞれ互いに異なる色であることが好ましいが、同じ色であってもよい。
【００４１】
表示制御部６０Ｃにおけるこのような着色により、オペレータは、例えば、周期帯範囲Ｒｅを含む特定領域Ｂｅと、所定の閾値を超えるピーク強度を示す棒Ｂとが重なったとき、フロントボトムローラ２０ｂに異常の可能性があることを客観的に把握することができる。同様に、オペレータは、例えば、周期帯範囲Ｒｆを含む特定領域Ｂｆと、所定の閾値を超えるピーク強度を示す棒Ｂとが重なったときフロントトップローラ２０ａに異常の可能性があること、周期帯範囲Ｒｇを含む特定領域Ｂｇと、所定の閾値を超えるピーク強度を示す棒Ｂとが重なったときミドルトップローラ１９ａに異常の可能性があること、周期帯範囲Ｒｈを含む特定領域Ｂｈと、所定の閾値を超えるピーク強度を示す棒Ｂとが重なったときボトムエプロンベルト１８ｂに異常の可能性があること、周期帯範囲Ｒｉを含む特定領域Ｂｉと、所定の閾値を超えるピーク強度を示す棒Ｂとが重なったときサードボトムローラ１７ｂ駆動用モータに異常の可能性があること、を客観的に把握することができる。
【００４２】
更に、表示制御部６０Ｃは、ピーク強度が所定閾値を超える棒Ｂを、所定閾値以下の棒Ｂと視覚的に識別可能に表示させる。例えば、図７に示されるように、表示制御部６０Ｃは、ピーク強度が所定閾値を超える棒Ｂを、所定閾値以下の棒Ｂと異なる色（図７では、ハッチングとして表示）で表示させる。
【００４３】
更に、表示制御部６０Ｃは、特定領域Ｂｅ，Ｂｆ，Ｂｇ，Ｂｈ，Ｂｉが選択（例えば、図８に示されるように、ポインタＡ２を重ねる等の操作）されると、特定領域Ｂｅ，Ｂｆ，Ｂｇ，Ｂｈ，Ｂｉのそれぞれに対応する特定の範囲の周期帯で発生する異常の要因となる部位に関する情報を視認可能に表示させる。例えば、図８に示されるように、ユーザによって特定領域Ｂｉが選択されると、「サードボトムローラ駆動用モータに異常の可能性があります。」とのメッセージＭ２がポップアップ表示される。
【００４４】
表示制御部６０Ｃは、上記のような第一棒グラフＢＧ１及び第二棒グラフＢＧ２を、紡績ユニット２ごと、すなわち、錘ごとに表示してもよいし、複数の錘ごとに表示してもよい。また、オペレータの操作により、表示させる錘のデータを選択させてもよい。更に、表示制御部６０Ｃは、錘に異常が発生した場合（各棒のピーク強度が所定閾値を超えたとき）、当該異常が発生した錘に関する第一棒グラフＢＧ１及び第二棒グラフＢＧ２を優先的に表示してもよい。
【００４５】
表示制御部６０Ｃは、図３に示される第一棒グラフＢＧ１を表示する画面と、図４に示される第二棒グラフＢＧ２を表示する画面と、を選択的に切り替えて表示することができる。なお、第一棒グラフＢＧ１と第二棒グラフＢＧ２とを一画面に表示するようにしてもよい。
【００４６】
次に、本実施形態に係る解析装置６０の作用効果について説明する。図３に示されるように、上記構成の解析装置６０では、解析部６０Ｂによって解析された、周期とピーク強度との関係を棒Ｂで示した第一棒グラフＢＧ１が、特定の周期範囲Ｒａ，Ｒｂ，Ｒｃ，Ｒｄに対応する領域が視覚的に識別可能に表示された特定領域Ｂａ，Ｂｂ，Ｂｃ，Ｂｄを有する結果表示領域Ｒ１に表示される。これにより、オペレータは、ピーク強度が突出した周期が、どの周期領域であるか、一見で判断できるようになる。また、図４に示されるように、上記構成の解析装置６０では、解析部６０Ｂによって解析された、周期帯とピーク強度との関係を棒Ｂで示した第二棒グラフＢＧ２が、特定の周期帯範囲Ｒｅ，Ｒｆ，Ｒｇ，Ｒｈ，Ｒｉに対応する領域が視覚的に識別可能に表示された特定領域Ｂｅ，Ｂｆ，Ｂｇ，Ｂｈ，Ｂｉを有する結果表示領域Ｒ２に表示される。これにより、オペレータは、ピーク強度が突出した周期帯が、どの周期帯領域であるか、一見で判断できるようになる。
【００４７】
特定領域Ｂａ，Ｂｂ，Ｂｃ，Ｂｄのそれぞれ、又は特定領域Ｂｅ，Ｂｆ，Ｂｇ，Ｂｈ，Ｂｉのそれぞれ異なる表示態様（例えば異なる色）で表示する場合には、異常時に表示態様を変えるための閾値を予め定めなくてもよい。特定領域Ｂａ，Ｂｂ，Ｂｃ，Ｂｄのそれぞれ、又は特定領域Ｂｅ，Ｂｆ，Ｂｇ，Ｂｈ，Ｂｉのそれぞれを異なる色で表示することで、オペレータ自身が棒Ｂの高さと棒Ｂの属する周期又は周期帯を見て、異常有無と異常原因と異常レベルとをオペレータ自身で判断可能に支援することができる。また、オペレータは、異常状態に達していなくても異常に近い状態となっていること等も認識できる。
【００４８】
本実施形態では、図３に示されるように、経験則及び理論値等によって導き出される異常部位（フロントローラ２０、ミドルローラ１９、サードローラ１７及びバックローラ１６）と、特定領域Ｂａ，Ｂｂ，Ｂｃ，Ｂｄとがそれぞれ対応づけて表示されている。これにより、例えば、ピーク強度が突出している棒Ｂが特定領域Ｂｄに属していることを確認すれば、バックローラ１６に異常の可能性があることを客観的に判断できる。この結果、オペレータの経験の差によらず異常部位を特定することができる。
【００４９】
また、本実施形態では、図４に示されるように、経験則及び理論値等によって導き出される異常部位（フロントボトムローラ２０ｂ、フロントトップローラ２０ａ、ミドルトップローラ１９ａ、ボトムエプロンベルト１８ｂ、及びサードボトムローラ１７ｂ駆動用モータ）と、特定領域Ｂｅ，Ｂｆ，Ｂｇ，Ｂｈ，Ｂｉとがそれぞれ対応づけて表示されている。これにより、例えば、ピーク強度が突出している棒Ｂが特定領域Ｂｉに属していることを確認すれば、サードボトムローラ１７ｂ駆動用モータに異常の可能性があることを客観的に判断できる。この結果、オペレータの経験の差によらず異常部位を特定することができる。
【００５０】
本実施形態では、表示制御部６０Ｃは、特定領域Ｂａ，Ｂｂ，Ｂｃ，Ｂｄを他の領域（背景）Ｂ０とは異なる色で表示させているので、オペレータは、特定領域Ｂａ，Ｂｂ，Ｂｃ，Ｂｄを、容易に識別することが可能になる。同様に、表示制御部６０Ｃは、特定領域Ｂｅ，Ｂｆ，Ｂｇ，Ｂｈ，Ｂｉを他の領域（背景）Ｂ０とは異なる色で表示させているので、オペレータは、特定領域Ｂｅ，Ｂｆ，Ｂｇ，Ｂｈ，Ｂｉを、容易に識別することが可能になる。
【００５１】
表示制御部６０Ｃは、周期ごとにピーク強度を示す棒Ｂを表示させている。すなわち、第一棒グラフＢＧ１を表示させている。このため、機械的な要因を特定するためのデータを提供することができる。
【００５２】
表示制御部６０Ｃは、周期帯ごとにピーク強度を示す棒Ｂを表示させている。すなわち、第二棒グラフＢＧ２を表示させている。例えば、ドラフトローラ１６，１７，１９，２０自体に傷がなくても、スライバＳの特性（平均繊維長又は繊維長の分布状態等）によって、ドラフトローラ１６，１７，１９，２０間を走行しているスライバＳ中の繊維の一部に走行乱れが生じ、その結果、紡績された糸Ｙにムラ（糸ムラ）が生じることがある（例えば、スライバＳの平均繊維長よりも長いピッチでドラフトローラ１６，１７，１９，２０が配置されているときに糸ムラが生じることがある）。このような糸ムラは、周期ごとのピーク強度では異常値として現れないが、周期帯ごとにピーク強度を算出すると異常値として現れることがある。本実施形態では、このような糸物性に起因する要因を特定するためのデータを提供することができる。
【００５３】
以上、本発明の一実施形態について説明したが、本発明は、上記実施形態に限定されない。
【００５４】
＜変形例1＞
図９に示されるように、変形例１に係る表示制御部６０Ｃは、周波数帯ごと又は周期帯ごとにピーク強度を示す第二棒グラフＢＧ２（図４参照）と、周波数ごと又は周期ごとにピーク強度を示す第一棒グラフＢＧ１（図３参照）と、を一つの画面Ｉ上に表示するように制御してもよい。
【００５５】
更に、表示制御部６０Ｃは、例えば、第二棒グラフＢＧ２を、結果表示領域Ｒ２に表示し、第一棒グラフＢＧ１については、第二棒グラフＢＧ２における特定領域Ｂｅ，Ｂｆ，Ｂｉ，Ｂｘの一つが選択されると、当該特定領域Ｂｅ，Ｂｆ，Ｂｉ，Ｂｘのそれぞれに関連づけられた第一棒グラフＢＧ１の対応領域の一つを、結果表示領域Ｒ１において視覚的に識別可能に表示してもよい。このとき、第一棒グラフＢＧ１は、全周期の第一棒グラフＢＧ１を表示してもよいし、選択された第二棒グラフＢＧ２の特定領域に関連する周期の第一棒グラフＢＧ１のみを表示してもよい。選択された第二棒グラフＢＧ２の特定領域に関連しない周期の第一棒グラフＢＧ１を、適宜に（例えば画面の大きさ又は見やすさ等を考慮して）省略して表示してもよい。
【００５６】
なお、当該特定領域Ｂｅ，Ｂｆ，Ｂｉ，Ｂｘのそれぞれに関連づけられる第一棒グラフＢＧ１の対応領域は、一つであっても複数であってもよい。また、表示制御部６０Ｃは、第一棒グラフＢＧ１における特定領域の一つが選択されると、当該特定領域のそれぞれに関連づけられた第二棒グラフＢＧ２の対応領域の一つを視覚的に識別可能に表示してもよい。
【００５７】
具体的に説明する。例えば、経験則及び理論値等によって、以下のことが分かっているとする。なお、第二棒グラフＢＧ２の特定領域Ｂｘには、対応づけられた第一棒グラフＢＧ１の対応領域Ｂｙ，Ｂｚがあるとする。
・第二棒グラフＢＧ２の特定領域Ｂｘにおける周波数帯に異常が発生している場合に、ミドルローラ１９とサードローラ１７との間において、機械及び糸物性の少なくとも一方に起因する異常が発生している可能性が高い。
・対応領域Ｂｙに含まれる周期範囲Ｒｙに所定閾値以上の値が出現すると、ボトムエプロンベルト１８ｂに異常が発生している可能性が高い。
・対応領域Ｂｚに含まれる周期範囲Ｒｚに所定閾値以上の値が出現すると、ミドルトップローラ１９ａに異常が発生している可能性が高い。
【００５８】
ここで、例えば、第二棒グラフＢＧ２の周期帯範囲Ｒｘに属する周期帯に所定閾値以上の値が出現したとする。これにより、オペレータは、ミドルローラ１９とサードローラ１７との間において、機械及び糸物性の少なくとも一方に起因する異常が発生している可能性が高いということを客観的に判断できる。ここで、オペレータが、ポインタＡ３等を動かして周期帯範囲Ｒｘを含む特定領域Ｂｘを選択すると、当該特定領域Ｂｘに関連づけられた第一棒グラフＢＧ１における対応領域Ｂｙ及び対応領域Ｂｚが着色表示される。これにより、オペレータは、着色された対応領域Ｂｙ，Ｂｚ内の棒Ｂの値に着目することができる。
【００５９】
ここで、例えば、対応領域Ｂｙに含まれる周期範囲Ｒｙの棒Ｂに所定閾値以上の値が出現していない場合には、オペレータは、ボトムエプロンベルト１８ｂに異常の可能性がないことを客観的に把握することができる。例えば、対応領域Ｂｚに含まれる周期範囲Ｒｚに所定閾値以上の値が出現している場合には、ミドルトップローラ１９ａに異常の可能性があることを客観的に把握することができる。また、例えば、特定領域Ｂｘにおける周波数帯に突出した値が出現しているが、周期範囲Ｒｙ及び周期範囲Ｒｚの何れにも所定閾値以上の値は出現していない場合には、糸物性が要因となって、特定領域Ｂｘにおける周波数帯にこのような値が出現している可能性が高いことを客観的に把握することができる。
【００６０】
このように、変形例１に係る解析装置６０によれば、オペレータは、機械的な要因と、糸物性に起因する要因との二つの要因を勘案した総合的な見地で異常部位を判定することが可能になる。また、第一棒グラフＢＧ１及び第二棒グラフＢＧ２の何れか一方のみでは分かり難い異常を、第一棒グラフＢＧ１及び第二棒グラフＢＧ２の両方を見ることで把握することが可能になる。
【００６１】
なお、第二棒グラフＢＧ２において所定の閾値を超えた異常箇所が一つの場合には、当該異常箇所が属する特定領域に対応する第一棒グラフＢＧ１側の対応領域を自動的に着色表示してもよい。
【００６２】
＜その他の変形例＞
上記実施形態又は変形例では、横軸ＡＸに周期を適用した第一棒グラフＢＧ１が表示装置５２に表示され、周期帯を適用した第二棒グラフＢＧ２が表示装置５２に表示される例を挙げて説明したが、横軸ＡＸに、周波数又は周波数帯を適用してもよい。
【００６３】
上記実施形態又は変形例では、表示制御部６０Ｃは、特定領域Ｂａ，Ｂｂ，Ｂｃ，Ｂｄ，Ｂｅ，Ｂｆ，Ｂｇ，Ｂｈ，Ｂｉ，Ｂｘ及び対応領域Ｂｙ，Ｂｚを着色表示させる例を挙げて説明したが、視覚的に識別可能であればどのような表示をさせてもよく、例えば、ハッチング又は模様を付す等の表示をさせてもよい。
【００６４】
上記実施形態又は変形例では、表示制御部６０Ｃは、ユーザによって特定領域Ｂａ，Ｂｂ，Ｂｃ，Ｂｄ，Ｂｅ，Ｂｆ，Ｂｇ，Ｂｈ，Ｂｉ，Ｂｘ及び対応領域Ｂｙ，Ｂｚの一つが選択されると、当該特定領域に関連の高い異常部位情報をポップアップ表示させる例を挙げて説明したが、これに限定されない。例えば、表示装置５２のどこかに、特定領域Ｂａ，Ｂｂ，Ｂｃ，Ｂｄ，Ｂｅ，Ｂｆ，Ｂｇ，Ｂｈ，Ｂｉ，Ｂｘ及び対応領域Ｂｙ，Ｂｚと異常部位との関係を示す凡例等を示すようにしてもよい。また、特定領域Ｂａ，Ｂｂ，Ｂｃ，Ｂｄ，Ｂｅ，Ｂｆ，Ｂｇ，Ｂｈ，Ｂｉ，Ｂｘ，Ｂｘ及び対応領域Ｂｙ，Ｂｚの位置の近辺に異常部位の情報を示してもよい。
【００６５】
棒グラフ（第一棒グラフＢＧ１及び第二棒グラフＢＧ２）の背景は全て同一の表示態様（例えば同じ色）で表示され、棒Ｂが閾値を超えると、閾値を超えた棒Ｂが属する領域に対し予め設定された色によって当該棒Ｂを着色してもよい。例えば、周期ごとの棒グラフは、上記実施形態のように背景に複数の特定領域が視認可能に表示された（着色された）領域に表示され、周期帯ごとの棒グラフの背景は全て同一の表示態様（例えば同じ色）で表示され、棒Ｂが閾値を超えると、閾値を超えた棒Ｂが属する領域に対し予め設定された色によって当該棒Ｂを着色してもよい。また、周期ごとの棒グラフの背景は全て同一の表示態様（例えば同じ色）で表示され、棒Ｂが閾値を超えると、閾値を超えた棒Ｂが属する領域に対し予め設定された色によって当該棒Ｂを着色し、周期帯ごとの棒グラフは、上記実施形態のように背景に複数の特定領域が視認可能に表示された（着色された）領域に表示されてもよい。
【００６６】
上記棒グラフでは、ピーク強度が所定閾値を超える棒Ｂを、所定閾値以下の棒Ｂと異なる色（図７では、ハッチングとして表示）で表示される例を挙げて説明したが、例えば、棒Ｂを「通常時は青色、第１閾値を超えたら黄色、第２閾値を超えたら赤色」といったように表示されてもよい。すなわち、一つの棒Ｂに対して複数の閾値が設定され、複数の設定に対してそれぞれ異なる表示態様がなされてもよい。
【００６７】
上記解析装置６０は、第一棒グラフＢＧ１のみを表示可能に構成されていてもよいし、第二棒グラフＢＧ２のみを表示可能に構成されていてもよい。
【００６８】
また、上記変形例１のような第一棒グラフＢＧ１と第二棒グラフＢＧ２の連携表示は、一つの表示装置（一画面）に表示する例に限らず、二つの表示装置との間（二画面）で切り替え表示する例に適用されてもよい。
【００６９】
横軸が周期又は周波数を示す第一棒グラフは、横軸における周期の範囲が相対的に短い短周期と、横軸における周期の範囲が相対的に長い長周期との２つに分けて表示してもよい。例えば、図１０（ａ）に示されるように、横軸における周波数の範囲が０Ｈｚ〜２００Ｈｚの第一棒グラフＢＧ１と、図１０（ｂ）に示されるように、横軸における周波数の範囲が０Ｈｚ〜１０Ｈｚの第一棒グラフＢＧ１とを二つに分けて表示してもよい。これにより、例えば、所定の範囲に上記でいう特定領域が密集する場合、図１０（ａ）に示される第一棒グラフＢＧ１では、互いに重なって一つ一つの特定領域が視認し難くなるところ、図１０（ｂ）に示される第一棒グラフＢＧ１では、特定領域同士が互いに間隔をあけて表示されるようになる。この結果、一つ一つの特定領域が視認しやすくなる。なお、横軸における範囲が狭い第一棒グラフＢＧ１における周波数の範囲は、図１０（ｂ）に示されるように０Ｈｚ〜１０Ｈｚの範囲に限定されず、任意の範囲としてもよい。同様の表示を第二棒グラフＢＧ２に適用してもよい。
【００７０】
上記実施形態又は変形例では、解析装置６０による解析結果を第２エンドフレーム５の表示装置５２に表示する例を挙げて説明したが、本発明はこれに限定されない。例えば、紡績ユニット２側に設けられる表示装置（図示せず）に解析結果を表示してもよいし、有線又は無線のＬＡＮ等を介してアクセス可能に接続された他のサーバ、パーソナルコンピュータ、スマートフォン等に表示させてもよい。また、解析装置６０は、上記表示装置５２、有線又は無線のＬＡＮ等を介してアクセス可能に接続された他のサーバ、パーソナルコンピュータ、スマートフォン等を直接制御しなくても、それらの表示装置に表示可能なデータ（例えば、画像データ）を生成のみする構成であってもよい。
【００７１】
以上に記載した実施形態及び変形例の少なくとも一部を任意に組み合わせてもよい。
【符号の説明】
【００７２】
１…紡績機、２…紡績ユニット、６…ドラフト装置、８…糸監視装置、１０…ユニットコントローラ、５１…機台制御装置、５２…表示装置（表示部）、５３…入力キー、６０…解析装置、６０Ａ…取得部、６０Ｂ…解析部、６０Ｃ…表示制御部、Ｂ…棒、Ｂａ，Ｂｂ，Ｂｃ，Ｂｄ，Ｂｅ，Ｂｆ，Ｂｇ，Ｂｈ，Ｂｉ，Ｂｘ…特定領域、ＢＧ１…第一棒グラフ、ＢＧ２…第二棒グラフ、Ｍ１，Ｍ２…メッセージ、Ｒ１，Ｒ２…結果表示領域、ＡＸ…横軸、ＡＹ…縦軸、Ｙ…糸、Ｂｙ，Ｂｚ…対応領域。
【図１】
2018016911.tif 000003
【図２】
2018016911.tif 000004
【図３】
2018016911.tif 000005
【図４】
2018016911.tif 000006
【図５】
2018016911.tif 000007
【図６】
2018016911.tif 000008
【図７】
2018016911.tif 000009
【図８】
2018016911.tif 000010
【図９】
2018016911.tif 000011
【図１０】
2018016911.tif 000012